Podtech/llm-jp-corpus-v4-ja_patent huggingface dataset:
(57)【要約】      （修正有）【課題】腰部や背中には左右に並んで複数のつぼがあり、しかも、各人の体格の差異もあることを考慮して、二個の半円球体を移動しかつ調節して一定の腰つぼを探し当てかつ設置して押圧した後も、他のつぼや痛苦しい部分を探して押圧することによって、腰痛の治療の効果をあげることができる半円球体移動型の腰つぼ押圧器具を提供する。【解決手段】二個の半円球体２及びこれらの底部に付設された留め具を、平板及びこの裏面に付設した支柱からなる基盤の表面に形成されたＭ字形状の溝８に通して移動しかつ設置して、二個の半円球体２の間隔を調節しかつ固定することによって、複数の腰つぼを押圧するための、半円球体移動型の腰つぼ押圧器具１、という構成からなる。【選択図】図１
0003209174.tif 000002
【実用新案登録請求の範囲】
【請求項１】
二個の半円球体及びこれらの底部に付設された留め具を、平板及びこの裏面に付設した支柱からなる基盤の表面に形成されたＭ字形状の溝に通して移動しかつ設置して、二個の半円球体の間隔を調節しかつ固定することによって、複数の腰つぼを押圧するための、半円球体移動型の腰つぼ押圧器具。
【考案の詳細な説明】
【技術分野】
【０００１】  本考案は、二個の半円球体であって、基盤上の溝を移動して位置を定める、腰つぼを押  圧する腰痛治療装置に関する。
【背景技術】
【０００２】  東洋医学によると、腰部や背中には左右に並ぶ複数のつぼがあり、これらを押圧すると、腰痛の治療になるといわれている。
この療法を実施するにあたり、二個の球体をもって腰つぼを押圧する装置が一般的である。この装置は、二個の球体を一定の腰つぼに配置しかつ固定して押圧する場合に限らず、他の腰つぼに移動しかつ固定して押圧できるならば、腰つぼ療法の効果は更にあがるはずである。
そのために、従来、腰つぼ療法について、いろいろな装置の工夫がなされて来た。その一つの例として、出願人の腰つぼスライドボールに関する実用新案登録３２０７０４４号がある。
【考案の開示】
【考案が解決しようとする課題】
【０００３】  本考案の解決しようとする問題点は、次の通りである。【０００４】  東洋医学からみると、腰部や背中に複数のつぼが左右に並列しているし、また、実態からみると、人の体格の差異によってつぼは異なって来る。そうすると、複数のつぼを始め痛苦しい部分に合わせて押圧して、腰痛の解消を図る必要がある。
二個の球体の間隔を固定しないで腰つぼを押圧すれば、二個の球体はバラバラの状態となり、腰つぼから外れた位置となる。
二個の球体をゴムや紐で結び、あるいは、細長い袋に入れて接続したとしても、この間隔を固定しなければ、腰つぼから外れた位置となりやすい。
これに対し、二個の球体を接着し、あるいは、台座に固定して連結すれば、別の腰つぼに移動することができなくなる。
そこで、二個の球体の間隔を固定して連結し、また、別の腰つぼに移動して固定できる装置が必要となる。
これを追求したのは、出願人の腰つぼスライドボールに関する実用新案登録３２０７０４４号である。これは、横臥した状態で使用するものであるのに対し、本件出願は、椅子等に座った状態で使用するものである。
【課題を解決するための手段】
【０００５】  本考案の解決する手段は、次の通りである。【０００６】  二個の半円球体（２）及びこれらの底部（３）に留め具（４）を付設したものを、平板（５）及びこの裏面に付設した支柱（６）からなる基盤（７）の表面に形成されたＭ字形状の溝（８）に通して移動しかつ設置して、二個の半円球体（２）の間隔を調節しかつ固定することによって、複数の腰つぼを押圧する、半円球体移動型の腰つぼ押圧器具（１）である。
【考案の効果】
【０００７】  本考案の効果は、次の通りである。【０００８】  本考案に係る腰つぼ押圧器具（１）は、基盤（７）の表面に形成されたＭ字形状の溝（８）を移動しかつ設置した二個の半円球体（２）である。
Ｍ字形状の溝（８）であると、これらの半円球体（２）を横や縦に移動しかつ設置できるので、可動範囲が広いし、また、これらの半円球体（２）の間隔を調節しかつ固定できるので、複数ある腰つぼにも、人の体格の差異にも対応できるし、また、二個の半円球体（２）を固定するので、間隔のズレを防ぐことにもなる。したがって、この装置によると、つぼ療法は治療効果をあげることができる。
【図面の簡単な説明】
【０００９】
【図１】  本考案に係る腰つぼ押圧器具に関する上面図である。
【図２】  本考案に係る腰つぼ押圧健康器具に関する断面図である。
【符号の説明】
【００１０】  １  腰つぼ押圧器具
２  半円球体
３  底部
４  留め具
５  平板
６  支柱
７  基盤
８  溝
９  落とし口
１０  クリップ
１１  紐取り付け穴
【考案を実施するための形態】
【００１１】  本考案の実施の形態である。
【００１２】  先ず、本考案に係る半円球体移動型の腰つぼ押圧器具（１）の構成である。これは、二個の半円球体（２）及びこれらの底部に付設された留め具（４）とＭ字形状の溝（８）を有する基盤（７）である。
二個の半円球体（２）は、プラスチック等の弾力性のある材質を用い、かつ、テニスボール程度の大きさの球体で、これを半円球体（２）に形成したものである。これらの半円球体（２）の底部（３）に留め具（４）を付設する。
基盤（７）は、弾力性を有するプラスチック等の材質を用いた平板（５）である。平板（５）の裏面に支柱（６）を付設し、あるいは、平板（５）を二枚重ね合わせて支柱（６）で留めたものである。二つの半円球体（２）の通路としてＭ字形状の溝（８）を形成し、また、Ｍ形状の溝（８）の端部に落とし口（９）を設置して、二つの半円球体（２）に付設する留め具（４）を挟み込み、通路として移動させる。
必要に応じて、落とし口（９）より大き目なクリップ（１０）を留め具（４）に付着してもよい。これによって、半円球体（２）及びこれらの底部（３）に付設した留め具（４）を基板（７）から抜き取ることを防止できる。
【００１３】  次に、本考案に係る半円球体移動型の腰つぼ押圧器具（１）の使用である。この器具は、既存の椅子に掛けて使用し、あるいは、新しく椅子を制作するにあたり、腰部に当る椅子の部分を強固に形成した基盤（７）を設置して使用する。
公園や駅にあるベンチであれば、この装置をビスあるいはバンドで直接にベンチに取り付ければよい。自動車の椅子、ソファー、座椅子等であれば、この装置に着けた紐（１１）をヘッドレスに掛けて腰部に合わせて、コードストッパーで調節する。背の部分に厚いレザーや布を施した椅子には、この装置を腰部に合わせて、紐（１１）を横にしてコードストッパーで調節する。
腰つぼ療法を必要とする者は、この装置を使用するに当り、東洋医学の知識を参考にし、かつ、人の体格差を考慮して、腰つぼや痛苦しい部分を探し当て、これらの位置に対応して、二つの半円球体（２）を基盤（７）上の溝（８）を通路として移動させて、一定の位置に固定する。二個の半円球体（２）の装置に対して腰つぼを押し当てる。
【図１】
0003209174.tif 000003
【図２】
0003209174.tif 000004
(57)【要約】      （修正有）【課題】コストの低下、工程の簡易化、色彩設計の容易化を実現する一体型ブリスターパックを提供する。【解決手段】あらかじめ印刷を施した薄地のプラスチックシート材料に真空成型を施した後トムソン型で打ち抜いた一体型ブリスターパック１であって、中央部から折り曲げた時に対称となるようにトムソン型により折り罫ｋ１、ｋ２、ｋ３が施され、それにより分割された面のどちらかに物品係止のための対になる固定用フラップＦ１、Ｆ２を持つ。【選択図】図２
0003209176.tif 000002
【実用新案登録請求の範囲】
【請求項１】
あらかじめ印刷を施した薄地のプラスチックシート材料に真空成型を施した後トムソン型で打ち抜いたことを特徴とする一体型ブリスターパック。
【請求項２】
請求項１に記載の一体型ブリスターパックは当該物品を中央部から折り曲げた時に対称となるようにトムソン型により折り罫が施され、それにより分割された面のどちらかに物品係止のための対になるフラップ構造を持つことを特徴とする一体型ブリスターパック。
【請求項３】
請求項１に記載のプラスチックシート材料に対する印刷は、オフセット印刷を用いて絵や文字、写真を印刷した請求項１に記載の一体型ブリスターパック。
【考案の詳細な説明】
【考案の詳細な説明】
【技術分野】
【０００１】  本考案は主として、フイルムシート材料に対して施された多目的に使用できる利便性の高いパッケージ商品に関するものである。
【背景技術】
【０００２】  従来のブリスターパックはフィルムシートに真空成型等を施した後、物品維持のための台紙を板紙や厚紙で作成し、該物品と組み合わせる必要があった。またブリスター部への印刷は困難なため無色透明の物が多かった。
【考案が解決しようとする課題】
【０００３】  従来のブリスターパックは物品維持のための台紙を板紙や厚紙で作成したのち、真空成型で作成した該物品と組み合わせる必要があり、そのことがコストの高騰や工程の複雑化、および物品の工程をシームレスに行えないことによる色設計の難しさなどの課題を抱えていた。
【課題を解決するための手段】
【０００４】  あらかじめ印刷を施したプラスチックシートに対し真空成型を施した後、該物品単体で「ブリスター部」と「台紙部」を兼ね備えることが出来るようにトムソン型により打ち抜き、折加工を施すことで従来品が抱えていたコスト、工程、色彩設計の問題を解決できるものである。
【考案を実施するための形態】
【０００５】  図１は本考案の一体型ブリスターパック（１）の平面図である。一体型ブリスターパック（１）はフィルムシートを成型加工したのち、トムソン加工によって物品中の複数個所が打ち抜かれた状態である。
一体型ブリスターパック（１）には、真空成型を施したブリスター部（Ｂ１）（Ｂ２）と、該物品を中央部から折りたたむための罫線（ｋ１）折りたたんだ場合に該物品を係止するためのフラップ（Ｆ１）（Ｆ２）を折り曲げるための罫（ｋ２）（ｋ３）、中央部の罫（ｋ１）によって折り曲げられた該物品を汎用的なフックなどに係止するための孔（ｈ１）（ｈ２）が備わっている。
【０００６】  図２は本考案の一体型ブリスターパック（１）の斜視図である。真空成型を施すことにより出来上がった半球形のブリスター部（Ｂ１）（Ｂ２）は罫線（ｋ１）から等距離に配置されている。また、該物品を汎用的なフックに係止するための孔（ｈ１）（ｈ２）も同様に罫線（ｋ１）から等距離に配置されている。
【０００７】  図３は本考案の一体型ブリスターパックを罫線（ｋ１）を中心に折り曲げた時の斜視図である。この時罫線（ｋ１）から等距離に配置された半球形のブリスター部（Ｂ１）（Ｂ２）は重なり合い球形となる。同様に該物品を汎用的なフックに係止するための孔（ｈ１）（ｈ２）も重なり合う。さらにこの時、罫（ｋ２）（ｋ３）から折り曲げられた該物品固定用のフラップ（Ｆ１）（Ｆ２）は重なり合った物品の半分を固定し、孔（ｈ１）（ｈ２）に汎用的なフックを貫通させることで陳列可能な状態である。
【図面の簡単な説明】
【０００８】
【図１】本考案の一体型ブリスターパックの平面図
【図２】図１の一体型ブリスターパックの斜視図
【図３】図１の一体型ブリスターパックの斜視図を組み立てた斜視図
【０００９】１    一体型ブリスターパック
Ｂ１  ブリスター部１
Ｂ２  ブリスター部２
Ｆ１  固定用フラップ１
Ｆ２  固定用フラップ２
ｈ１  孔１
ｈ２  孔２
ｋ１  折り罫１
ｋ２  折り罫２
ｋ３  折り罫３
【図１】
0003209176.tif 000003
【図２】
0003209176.tif 000004
【図３】
0003209176.tif 000005
(57)【要約】      （修正有）【課題】皮膚が痒い時にどこにでも届くようにした道具を提供する。【解決手段】原板２に柄１を付けて、原板２に表裏にナイロン・スポンジを貼り付けた。【選択図】図１
0003209179.tif 000002
【実用新案登録請求の範囲】
【請求項１】
ナイロン・スポンジの（合成樹脂）に柄を付けて手の届かない痒い皮膚を掻ける様にした道具
【考案の詳細な説明】
【技術分野】皮膚の痒い所を掻く時使用する
【背景技術】現存する（孫の手）は竹製品なので新しい時は爪が尖っているので皮膚を掻くと皮膚に傷がつきやすく又古くなると爪先が丸くなり効力が無くなる
【考案が解決しようとする課題】
従来技術の欠点は背景技術に述べたとおり現在は妻に浴槽洗浄の時使用するスポンジで掻いて貰っています  それを背中に入る位のおおきさに切断して柄を付けただけのものですが独身老人には一人で出来る便利な道具と言える
【課題を解決するための手段】
図面（１）の２の部分の原板と握り手が一体になっているもの合成樹脂で作りその原板の表面にナイロン・スポンジの（食器・浴槽洗浄等に使用）柔らかいものを貼り裏面には硬質のナイロン・束子の様なものを貼ると、掻く時両面あるので好みの方で使い分けが出来る便利な道具  現在ある（孫の手）より爪が無いので皮膚に優しく（親の手）の様に皮膚・接着面が大きくなるので使用が大変楽で、老人には福音の道具と言える
【考案の効果】
親の手を使用する事に依って皮膚の痒みが無くなる
【図面の簡単な説明】（１）は握る所  （２）は原板に貼ったスポンジ【図１】は正面図
【図２】は断面図
【図３】は斜視図
【図１】
0003209179.tif 000003
【図２】
0003209179.tif 000004
【図３】
0003209179.tif 000005
(57)【要約】      （修正有）【課題】大津波や洪水（河川の氾濫）などの大規模水害の発生時に、高い波浪により乗船者が船外に投げ出されたり、浸水して転覆するという問題、又、浮遊物等の衝突により船体が破損することで浸水して沈没するという問題を防止できる水害避難用救命ボートを提供する。【解決手段】水害避難用救命ボートは、型巾の広い船体１に格納された膨縮自在な筒状密閉膜材の二層式筒体２に、注入装置４と配給管５により圧縮空気もしくはヘリウムガスを注入して膨張し、上方にも伸長することで型深さの深い船体として高い波浪に対応する。又、船体の周囲の外壁に防護用ネット３を装備して浮遊物等の衝突から防護する。【選択図】図１
0003209157.tif 000002
【実用新案登録請求の範囲】
【請求項１】
水害避難用救命ボートに膨縮自在な筒状密閉膜材の二層式筒体に注入装置から圧縮空気もしくはヘリウムガスを注入することで二層式筒体が膨張し、上方にも伸長して型深さを深くすることで高い波浪に対応できるとともに、防護用ネットを装備して浮遊物等の衝突から船体を防護できるなどの特徴をもつ水害避難用救命ボート。
【考案の詳細な説明】
【技術分野】
【０００１】  本考案は、大津波や洪水（河川の氾濫）などの大規模水害発生時において
家族や住民等が迅速かつ安全に避難できる水害避難用救命ボートに関するものである。尚、本考案の説明において水害避難用救命ボートと救命ボートは同義語であって、以下の説明では、本考案の水害避難用救命ボートを単に救命ボートと表現することがある。
【背景技術】
【０００２】  大津波や洪水（河川の氾濫）などの大規模水害が発生したときに、従来の救命ボート等では、船体の型深さが浅いため高い波浪により浸水して沈没することが起こったり、浮遊物等の衝突で船体が損傷することで浸水して沈没することが起こり得る。【０００３】  又、大規模水害が発生したときに、従来の救命ボート等では、船体の型巾が狭いため高い波浪により乗船者が船外に投げ出されたり、転覆したりすることが起こり得る。
【先行技術文献】
【０００４】
【特許文献１】特開２０１４−２４５２８号公報
【考案の概要】
【考案が解決しようとする課題】
【０００５】  本考案は、大津波や洪水（河川の氾濫）などの大規模水害が発生したときに、船体の型深さが浅いために高い波浪により浸水して沈没したり、浮遊物等の衝突で船体が損傷することで浸水して沈没したり、船体の型巾が狭いため高い波浪により乗船者が船外に投げ出されたり、転覆したりするという問題に対応するため防護用ネットを装備した二層式の水害避難用救命ボートを提供することを目的としている。
【課題を解決するための手段】
【０００６】本考案は、上記課題を解決するための手段として次の構成を有している。
尚、本考案は、大津波や洪水（河川の氾濫）などの大規模水害が発生時に適用される水害避難用救命ボートを対象としている。【０００７】  本考案に係る水害避難用救命ボートは、救命ボートの型巾の広い船体（例えば、型巾１００ｃｍ以上）に膨縮自在な筒状密閉膜材からなる二層式筒体と圧縮空気を注入する注入装置を備えている一方、二層式筒体は、注入装置により圧縮空気もしくはヘリウムガスを注入することで膨張し、上方にも伸長することにより高い波浪に対応できる型深さの深い船体になることができることを特徴としている。【０００８】  本考案に係る水害避難用救命ボートは、船体の外壁に防護用ネット（柔軟性のあるビニール製ネット）を装備することで浮遊物等の衝突による船体への衝撃を緩和するとともに、損傷を防止することを特徴としている。【０００９】  上記の船体の膨縮自在な筒状密閉膜材からなる二層式筒体は、比較的強靭な塩化ビニール素材もしくはゴム素材が使用されている。通常は、筒状密閉膜材からなる二層式筒体が偏平状に縮んでいて上下厚さが薄くなっているが、該筒状密閉膜材に圧縮空気もしくはヘリウムガスが注入されると二層式筒体が膨張するとともに、内部に注入された圧縮空気もしくはヘリウムガスにより強力な浮力が発生するものである。【０００１０】  上記の圧縮空気もしくはヘリウムガスの注入装置は、空気もしくはヘリウムガスを圧縮状態で封入したバルブ付きのガスボンベを使用したものである。
【考案の効果】
【００１１】  本考案に係る水害避難用救命ボートは、膨縮自在な筒状密閉膜材からなる二層式筒体に注入装置から圧縮空気もしくはヘリウムガスを注入することで、膨張した二層式筒体が上方にも伸長して高い波浪にも対応できる高さ（例えば、６０ｃｍ以上）にすることで、高い波浪により乗船者が船外に投げ出されたり、転覆したりすることを防止できる効果がある。【００１２】  又、本考案に係る水害避難用救命ボートは、船体（塩化ビニール製船体もしくはゴム製船体）の外壁に防護用ネット（柔軟性のあるビニール製ネット）を取り付けることにより、浮遊物等の衝突により船体への衝撃を緩和するとともに、損傷により浸水して沈没することを防止できる効果がある。
【図面の簡単な説明】
【００１３】
【図１】  本考案の水害避難用救命ボートのＩＩ−ＩＩ断面図と平面図
【考案を実施するための形態】
【００１４】  図１を参照しつつ、本考案の具体化した実施の形態につき説明し、本考案の理解に供する。
【実施例】
【００１５】  図１にある水害避難用救命ボートの船体１は、平常時は膨縮自在な筒状密閉膜材からなる二層式筒体２を偏平状に縮んで上下厚さが薄くなった状態で折りたたんだ状態で携帯用ケースに格納されている。【００１６】  図１にある水害避難用救命ボートの船体１が、緊急時（大規模な水害発生時）には携帯用ケースに格納された状態の二層式筒体２に、注入装置４のバルブを開放して供給管５を通して圧縮空気もしくはヘリウムガスが注入されることにより、筒体２が図１に示すように膨張し、上方にも伸長して高い波浪にも対応できる高さ（例えば、６０ｃｍ以上）になることができる。又、注入装置４のバルブで注入量を調整することができる。【００１７】  図１にある船体１の外壁と船底の外壁に厚みのある防護用ネット３を取り付けて船体１を浮遊物等の衝突による衝撃や損傷から防護することができる。【００１８】  図１にある船体１は、上方箇所にはオール用支持具６が二箇所に取付けられている。
【符号の説明】
【００１９】  １は船体、２は筒状密閉膜材の二層式筒体、３は防護用ネット、４は注入装置（バルブ付ガスボンベ）、５は供給管、６はオール用支持具。
【図１】
0003209157.tif 000003
(57)【要約】      （修正有）【課題】ゴルフクラブのヘッドカバーの保持具となる、磁石を使ったゴルフ用ヘッドカバー吊り下げ器具を提供する。【解決手段】磁石３を先端に付けたヘッドカバー吊り下げ紐２を腰のベルトにぶら下げる。この磁石３にあらかじめヘッドカバーに装着した鉄片をくっつける。吊り下げ紐の構造は、ベルトへの固定部、自由に動く紐２、先端の磁石３の３つの部分より成る。ベルトへの固定部は鉄で作るか、鉄以外のもので作った場合は鉄片を装着しておく。使うときは、ヘッドカバーの鉄片部分を吊り下げ紐の磁石に近づければ磁力で引合い容易に接続出来る。外す時は少し強く引っ張れば簡単に外れる。全てのヘッドカバーに金属片を装着しておけば種類を問わず腰のベルトに吊り下げることが出来る。使わないときは磁石をベルト固定部の鉄に止めて置く。これにより紐の先の磁石がクラブや乗用カート等の鉄部に意図せずくっつくことを防げる。【選択図】図１
0003209188.tif 000002
【実用新案登録請求の範囲】
【請求項１】
鉄製又は鉄片を装着したベルトへの固定部につながった紐の先端に磁石を付け、あらかじめヘッドカバーに装着した鉄片をこの磁石にくっつけることで、腰のベルトにヘッドカバーをぶら下げるゴルフ用ヘッドカバー吊り下げ器具。
【考案の詳細な説明】
【技術分野】
【０００１】  本考案はゴルフクラブのヘッドカバーの保持具に関するものである。
【考案の概要】
【考案が解決しようとする課題】
【０００２】  ゴルフのスイングをする時に、はずしたヘッドカバーの扱いに困る。地面に置けば汚れる可能性や置忘れの可能性がある。
【課題を解決するための手段】
【０００３】  磁石を先端に付けたヘッドカバー吊り下げ紐を腰のベルトにぶら下げる。別途ヘッドカバーに鉄片を装着しておく。ヘッドカバーの鉄片部分を磁石に近づければ、お互いに引き合う力で紐の先端の磁石が動き、磁石と鉄片は容易に接続し、ヘッドカバーを腰に吊るすことが出来る。外す時はヘッドカバーを少し強めに引っ張れば簡単に外れる。磁石を使うことによる副作用として、使用していない時に、磁石がクラブや乗用カート等の鉄部に意図せずくっつくことがある。この対策として、ベルトへの固定部を鉄で作り、使わない時は磁石をここに止めておくことで解決出来る。
【考案の効果】
【０００４】ヘッドカバーの汚れや紛失を防げる。ヘッドカバーを腰にぶら下げるのに時間が掛からない為プレーに影響が出ない。ヘッドカバーを吊り下げている時、手や腕がヘッドカバーに当たっても吊り下げ紐が動くので、力が逃げて、磁石とヘッドカバーの接続が外れることが無い。クラブの買い替え等があった場合でも鉄片を新たに装着するだけだから費用が少なく済む。
【図面の簡単な説明】
【０００５】
【図１】本考案の実施形態を示す斜視図
【図２】使用していない時の斜視図
【図３】ベルト装着部の別の実施例の斜視図
【考案を実施するための形態】
【０００６】吊り下げ紐の構造は、ベルトへの固定部、自由に動く紐、先端の磁石の３つの部分より成る。ベルトへの固定部は鉄で作るか、鉄以外のもので作った場合は鉄片を装着しておく。ドライバーからパターまで全てのヘッドカバーに別部材の鉄片を装着しておく。これによりヘッドカバーの種類を問わず腰の吊り下げ紐にぶら下げることが出来る。
【実施例】
【０００７】本考案の吊り下げ紐と鉄片を装着したヘッドカバーにを図１に示す。
吊り下げ紐のベルト固定部１は鉄製で腰のベルトを挟んでベルトに固定される。紐２はベルト固定部につながり、紐の先端に磁石３をつける。これにより磁石は腰のベルトからぶらぶらとぶら下がることになる。
ヘッドカバー５には別部材の鉄片４を装着する。使用するクラブの全てのヘッドカバーにあらかじめ鉄片を装着して置く。
この吊り下げ紐の磁石３にヘッドカバーの鉄片４を近づければ磁力でお互いに引合い、容易に接続する。その結果、腰のベルトにヘッドカバーを簡単にぶら下げることが出来る。【０００８】使用しない時に磁石３をベルト固定部１に止めておく状態を示したのが図２である。これにより磁石がクラブや乗用カート等の鉄部に意図せずくっつくことを防ぐ。【０００９】ベルト固定部１は紐２をベルトに固定する役目と共に、使用しないときに磁石３をくっつけて置く役割がある。この２つの役割を果たすことが出来れば固定部全てを鉄で作らなくても良い。図３は紐２の上端を輪にしてベルト固定部７として、固定部外側に鉄片８を設置した例である。
【符号の説明】
【００１０】１  鉄製ベルト固定部
２  紐
３  磁石
４  鉄片
５  ヘッドカバー
６  腰のベルト
７  紐の一部を利用したベルト固定部
８  鉄片
【図１】
0003209188.tif 000003
【図２】
0003209188.tif 000004
【図３】
0003209188.tif 000005
(57)【要約】      （修正有）【課題】使用者がかばんの収納物のサイズや種類に合わせて組み立てることが出来るかばんの仕切りを提供する。【解決手段】碁盤状に等間隔の取付け穴３を設けたプラスチック板１に、罫線で折り曲げることにより様々なかばんの収納物に合わせたポケット２を形成することにより構成し、使用者が締結用部材４を使って容易に組み立てることを可能とする。【選択図】図１
0003209190.tif 000002
【実用新案登録請求の範囲】
【請求項１】
碁盤状に等間隔に同径の穴が設けられたプラスチック板と、罫線部で折り曲げてポケットを形成するプラスチック板より構成され、使用者が締結用部材を用いて容易に組み立てが可能なかばんの仕切り。
【考案の詳細な説明】
【技術分野】
【０００１】
本考案は手提かばん等の収納物の整理において、使用者のかばんの収納物のサイズや種類に合わせて使用者が自分で組み立てられる「かばんの仕切り」に関するものである。
【背景技術】
【０００２】
ビジネスパーソンや学生などが持ち歩くかばんには、ノートや筆記具、名刺入れなどの他、スマートフォンの充電器やコード類などの様々な小物を収納するようになってきている。
【０００３】
このため、最近ではこうした、かばんの収納物を整理するための布製の「バッグインバッグ」やゴムベルト製の「かばんの仕切り」が使用される場合が増えてきている。
【先行技術文献】
【非特許文献】
【０００４】
【非特許文献１】ビー・ナチュラル株式会社  http://kabannonakami.com
【考案の概要】
【考案が解決しようとする課題】
【０００５】
しかし、布製の「バッグインバッグ」は収納する袋状のポケットのサイズや位置が予め決められており、使用者によっては収納物のサイズや数量が合わずに使いにくい。
【０００６】
また、ゴムベルト製の「かばんの仕切り」では、袋状のポケットの代わりに、ゴムベルトで収納物を固定できるので収納物のサイズや収納する位置は自由度がある反面、ゴムベルトで押さえるだけなので収納物がしっかりと固定されずに、出し入れの際に外れることがある。
【０００７】
本考案は、使用者がかばんの収納物のサイズに対応して用意されたプラスチック製のポケットを、かばんの内寸に対応して用意されたプラスチック製のベース板の好みの位置に取り付けることができる「かばんの仕切り」を提案し、上述の欠点を解決しようとするものである。
【課題を解決するための手段】
【０００８】
本考案は、かばんの内寸に対応して用意するプラスチック製の板に碁盤状に等間隔の穴を一面に設け、収容物のサイズに対応して用意するプラスチック製のポケットを、工具を使わずに固定が可能な締結用部材を用いて取り付けることにより解決する。
【考案の効果】
【０００９】
上述の様に、本考案では使用者のかばんの収納物のサイズに見合ったポケットを選定できるため、収納できない小物があったり、収納物が揺動によって傷付くことを防ぐことができる。
【００１０】
また、ポケットは使用者がベース板の好みの位置に組み付けることが出来るため、使用頻度が高い収納物はベース板の最上部に取り付けることにより、仕切り全体をかばんから取り出すことなく収納物を取り出すことが可能である。
【図面の簡単な説明】
【００１１】
【図１】本考案の「かばんの仕切り」の実施例を示す斜視図である。
【図２】碁盤状に等間隔の穴を設けたベース板の正面図である。
【図３】ポケットを展開した状態を示す正面図である。
【図４】締結用部材の構造を示す斜視図である。
【考案を実施するための形態】
【００１２】
かばんの中の小物を整理するという目的からベース板とポケットの素材にはプラスチック製の発泡シートを採用し、適度な剛性とたわみを持たせるようにした。
【００１３】
また、使用者が自分で簡単に組み立てられるように、ベース板にポケットを取り付けるための締結用部材には一方向から取付け穴に押し込むことで締結が完了する部材を採用した。
【実施例】
【００１４】
図２に示すようにベース板には取付け穴３aが等間隔に縦横に設けられている。したがってかばんの形状に合わせて縦もしくは横にして使用することが可能である。
【００１５】
図３はポケットを展開した状態を示しており、罫線５で折り曲げると取付け穴３bが図２のベース板の取付け穴3aに締結用部材４を介し係合する様に設けられている。
【００１６】
図４は締結用部材４の構造を示す。スリーブ６を互いに係合しようとする図2のベース板の取付け穴３aと、図3のポケットの取付け穴３bに挿入し、ピン７を指で押し込むことにより爪部8が花びら状に開き係合を完了する。係合を解く場合はピン７の軸の反対側を千枚通し状の工具で押し出すことによって締結用部材を取り外すことが出来るため、取付け作業をやり直すことも可能である。
【符号の説明】
【００１７】
１  ベース板
２  ポケット
３  取付け穴
４  締結用部材
5  罫線
６  スリーブ
７  ピン
８  爪部
【図１】
0003209190.tif 000003
【図２】
0003209190.tif 000004
【図３】
0003209190.tif 000005
【図４】
0003209190.tif 000006
(57)【要約】      （修正有）【課題】ゴルフのスイングの際、指先又は手のひらに掛かる圧力を検知し、あらかじめ設定した圧力よりも高い圧力がかかった時を検知しブザーを鳴らすことによって認識させるゴルフのスイング補正装置を提供する。【解決手段】コントロールボックス１と該コントロールボックス１の外部に接続した圧力センサー９、１０とで構成し、該コントロールボックス１内には、任意の圧力を設定する圧力設定用ボリューム４と電池３とブザーとブザー音量調整用ボリューム５並びに圧力信号比較回路６とを内蔵した。圧力センサー９、１０は手のひらに収まるサイズの検出器とすると共に、圧力信号比較回路６は、該圧力センサー９、１０からの握りの強さを示す圧力信号と、圧力設定用ボリューム４に設定した任意の圧力の信号とを比較する。握りの強さを示す圧力が任意の圧力以上になるとブザーを鳴らす。【選択図】図１
0003209127.tif 000002
【実用新案登録請求の範囲】
【請求項１】
指先又は手のひらに固定した圧力センサーから、グリップにかかる圧力信号を胸元又は、服のポケットに入れてあるコントロールボックスに有線又は無線で取り込む。
【請求項２】
前記コントロールボックスに、電池、ＩＣ基板、圧力設定用ボリュームとブザーを配置し、その圧力設定値と取り込んだ圧力を比較し、取り込んだ圧力が設定値以上になるとブザーを鳴らす。ブザーの音量も調整できる。
【考案の詳細な説明】
【技術分野】
【０００１】  本考案は、ゴルフのスイングの際、指先又は手のひらに掛かる力の入りすぎでフォームの乱れを知らせると共に怪我の防止をする事に関する。
【背景技術】
【０００２】    ゴルフのクラブをスイング中に余分な力が入りすぎているにも関わらず認識できないままプレイし、ボールの軌道もずれ飛距離にもロスが生じていた。
【考案の概要】
【考案が解決しようとする課題】
【０００３】  スイング中クラブを強く握りすぎの認識ができない状態で打って、フォームが乱れたり飛距離が不安定であったり怪我の危険もあった。
【課題を解決するための手段】
【０００４】  本考案は指先又は手のひらに圧力検出器を設け、クラブとの圧力を別置きのコントロールボックスへ有線又は無線で信号を送り、設定値以上の力が掛かるとブザーを鳴らし力の入れすぎを知らせるものである。【０００５】  別置きのコントロールボックスは、トランジスタ回路と電池、ボリューム、ブザーで構成される。圧力の強弱とブザーの音量も調節できるものである。
【考案の効果】
【０００６】  上述の様に、本考案のスイング、グリップ補正装置はブザーが鳴る事によって、グリップの強弱の変化が分かりフォーム、スイングを安定させる助けになり、怪我の防止にもつなげる。
【図面の簡単な説明】
【０００７】
【図１】本考案の構成図である。
【考案を実施するための形態】
【０００８】指先又は手のひらの圧力検出器は、手袋の中、又はゴルフクラブのグリップ部分に取り付けて、有線又は無線でコントロールにボックスに取り込む。コントロールボックスは、電池、抵抗、トランジスタ、ブザー、ボリューム、受信器で構成する。圧力検出器はコネクタ部分から別の形状のものと交換できる。
【実施例】
【００９】電源を入りにセットし圧力設定用ボリュームで任意の圧力と音量を調整する。圧力検出器Ａ又は圧力検出器Ｂをコネクタに差し込む。【００１０】設定の圧力と取り込んだ圧力信号をコントロールボックスの回路で比較し、取り込んだ圧力信号が大の時ブザーを鳴らす。ブザーの音量もボリュームで調整できる。
【符号の説明】
【００１１】１    コントロールボックス
２    電源スイッチ（切−入）
３    電池
４    圧力調整ボリューム
５    ブザー音量調整ボリューム
６    基板（圧力信号比較回路、ブザー）
７    電線
８    コネクタ
９    圧力検出器Ａ
１０  圧力検出器Ｂ
【図１】
0003209127.tif 000003
【手続補正書】
【提出日】平成28年11月15日(2016.11.15)
【手続補正１】
【補正対象書類名】実用新案登録請求の範囲
【補正対象項目名】全文
【補正方法】変更
【補正の内容】
【実用新案登録請求の範囲】
【請求項１】
コントロールボックスと該コントロールボックスの外部に接続した圧力センサーとで構成し、該コントロールボックス内には、任意の圧力を設定する圧力設定用ボリュームと電池とブザーとブザー音量調整用ボリューム並びに圧力信号比較回路とを内蔵した、ゴルフのスイング補正装置。
【請求項２】
前記圧力センサーは手のひらに収まるサイズの検出器とすると共に、前記圧力信号比較回路は、該圧力センサーからの握りの強さを示す圧力信号と、前記圧力設定用ボリュームに設定した任意の圧力の信号とを比較するように構成されたことを特徴とする、請求項１のゴルフのスイング補正装置。
【請求項３】
前記圧力信号比較回路で、前記握りの強さを示す圧力信号と、前記設定した任意の圧力の信号とを比較し、握りの強さを示す圧力が任意の圧力以上になるとブザーを鳴らすように構成されたことを特徴とする、請求項２のゴルフのスイング補正装置。
(57)【要約】      （修正有）【課題】封印としての性能を保ちつつ多目的な販促効果をもつ封印シールを提供する。【解決手段】粘着剤が設けられた貼付面を貼付対象面に接着することで貼付対象面に貼り付けられるシール１であって、貼付面Ｔ１、Ｔ２、Ｔ３に粘着力の異なる粘着剤を使用することで貼付対象面への接着強度に差を設け、さらに粘着度の境界部分にトムソン加工によりミシン目ｍ１、ｍ２を設けることで、貼付対象面から当該シール１を剥離しようとするときに、粘着強度の弱い部分は剥離、分離し、粘着強度の強い部分は貼付対象面にとどまる。当該シール１は、貼付面Ｔ１、Ｔ２、Ｔ３に貼り付けられた台紙をはがした後に、貼付対象面に貼り付けられ、また、印刷をほどこすことで多目的な販促物として使用できる。【選択図】図１
0003209130.tif 000002
【実用新案登録請求の範囲】
【請求項１】
粘着剤が設けられた貼付面を貼付対象面に接着することで前記貼付対象面に貼り付けられるシールであって、前記貼付面には、当該シールが前記貼付対象面に貼り付けられた状態で、前記貼付面と前記貼付対象面との間に小物を収容し封印するために、前記粘着剤は小物収納部分が粘着剤なしまたは再剥離および弱粘着性、その他の部分が強粘着性の接着面を有することを特徴とするシール。
【請求項２】
前記シールは前記貼付面に粘着力の異なる粘着剤を使用することで前記貼付対象面への接着強度に差を設け、さらに粘着度の境界部分にトムソン加工によりミシン罫を施すことで、前記貼付対象面から当該シールを剥離しようとするときに、接着強度の弱い部分は剥離、分離し、接着強度の強い部分は前記貼付対象面にとどまる事を特徴とするシール。
【請求項３】
請求項１に記載のシールであって、当該シールは、前記貼付面に貼り付けられた台紙をはがした後に、前記貼付対象面に貼り付けられるものであることを特徴とするシール。
【請求項４】
請求項１に記載のシールであって、当該シールは、印刷をほどこすことで多目的な販促物として使用できることを特徴とするシール。
【考案の詳細な説明】
【技術分野】
【０００１】  本考案は主として、シール材料に対して多目的に使用できる利便性の高い印刷商品に関するものである。
【背景技術】
【０００２】  従来の封印シールは糊などですでに封印が施された封書などに貼ることで、その封印の精度を高めるものであるが、通常は封書の開封とともに廃棄されてしまうものであった。
【考案が解決しようとする課題】
【０００３】  本考案が解決しようとする課題は封印としての性能を保ちつつ多目的な販促効果をもつ封印シールの開発に係るものである。
【０００４】  従来の封印シールは貼付面に施された粘着剤の強度は均一で、それゆえに封印効果を保つものであるが、一方で開封とともに破損、断裂する可能性が高く印刷を施すなどの販促活用は難しかった。
【課題を解決するための手段】
【０００５】  本考案の封印シールは貼付面に粘着力の異なる粘着剤を使用することで貼付対象面への接着強度に差を設け、さらに粘着度の境界部分にトムソン加工によりミシン罫を施すことで、貼付対象面から当該シールを剥離しようとするときに、接着強度の弱い部分は剥離、分離し、接着強度の強い部分は前記貼付対象面にとどまる事を特徴とするものである。
【考案実施の形態】
【０００６】  図１は本考案の封印シールの視図である。図１で封印シール（１）にはあらかじめ粘着度の違う粘着剤が設けられた貼付面が存在する。この時貼付面（Ｔ１）（Ｔ３）は粘着強度が強く、（Ｔ２）は弱く設けられており、さらにその粘着面の境界線にトムソン加工によるミシン目（ｍ１）（ｍ２）が施され、そのことにより貼付面（Ｔ２）は他の貼付面よりも剥離しやすい状態になっている。
【０００７】  図２は本考案の封印シール（１）の断面図である。図２において粘着度の違う粘着剤が設けられた（Ｔ１）（Ｔ２）（Ｔ３）には強度により貼付対象面（２）への密着度が異なる。このことを利用して貼付面（Ｔ２）には任意の小物（Ｋ）を収納した状態で貼付対象面（２）へ本考案を貼付することが可能であり、かつ、粘着剤の強度の違いにより貼付面（Ｔ２）は小物（Ｋ）が貼付面（Ｔ２）に粘着した状態のまま貼付対象面（２）から剥離可能な状態にある。
【０００８】  図３は本考案の封印シール（１）を封筒（Ｆ）に貼付し、粘着度の違う貼付面（Ｔ２）を剥離した状態の斜視図である。この状態において粘着度の強い貼付面（Ｔ１）（Ｔ３）は貼付対象面である封筒（Ｆ）に残り、粘着度の弱い貼付面（Ｔ２）のみが小物（Ｋ）を伴って剥離している状態である。貼付面（Ｔ２）が剥離した部分を切っ掛けに封筒（Ｆ）の封印を解くことが容易になる。
【図面の簡単な説明】
【０００９】
【図１】本考案の封印シールの視図
【図２】本考案の封印シールの断面図
【図３】本考案の封印シールを貼付対象面に貼付した場合の斜視図
【符号の説明】
【００１０】１    封印シール
２    貼付対象面
Ｆ    封筒
Ｋ    小物
ｍ１  ミシン目１
ｍ２  ミシン目２
Ｔ１  貼付面１
Ｔ２  貼付面２
Ｔ３  貼付面３
0003209130.tif 000003
【手続補正書】
【提出日】平成28年12月2日(2016.12.2)
【手続補正１】
【補正対象書類名】実用新案登録請求の範囲
【補正対象項目名】全文
【補正方法】変更
【補正の内容】
【実用新案登録請求の範囲】
【請求項１】
粘着剤が設けられた貼付面を貼付対象面に接着することで貼付対象面に貼り付けられるシールであって、当該シールが貼付対象面に貼り付けられた状態で、貼付面と貼付対象面との間に小物を収容し封印するために、粘着剤は小物収納部分が粘着剤なしまたたは再剥離および弱粘着、その他の部分が強粘着性の接着面を有することを特徴とするシール。
【請求項２】
請求項１に記載のシールは貼付面に粘着力の異なる粘着剤を使用することで貼付対象面への接着強度に差を設け、さらに粘着度の境界部分にトムソン加工によりミシン罫を施すことで、貼付対象面から当該シールを剥離しようとするときに、粘着強度の弱い部分は剥離、分離し、粘着強度の強い部分は貼付対象面にとどまることを特徴とするシール。
【請求項３】
請求項１に記載のシールであって、当該シールは、貼付面に貼り付けられた台紙をはがした後に、貼付対象面に貼り付けられるものであることを特徴とするシール。
【請求項４】
請求項１に記載のシールであって、当該シールは、印刷をほどこすことで多目的な販促物として使用できることを特徴とするシール。
【手続補正２】
【補正対象書類名】図面
【補正対象項目名】全図
【補正方法】追加
【補正の内容】
【図１】
0003209130.tif 000004
【図２】
0003209130.tif 000005
【図３】
0003209130.tif 000006
(57)【要約】      （修正有）【課題】日本各地や世界中から手向けられた折り鶴を入れる事で、日本各地や世界中へ平和への意識を高め、平和への思いをアピールし、平和への思いを広く発信できる折り鶴缶バッジを提供する。【解決手段】第１の基体ＫＡに折り鶴再生紙ＯＳ、折り鶴ＯＲ、保護フィルムＨＦを重ねた状態で第１の基体ＫＡに嵌め合わせ、第２の基体ＫＢと嵌め合わせた構造とした。【選択図】図１
0003209125.tif 000002
【実用新案登録請求の範囲】
【請求項１】
第二次世界大戦で使用された原子爆弾の犠牲となった、広島や長崎及び多くの犠牲者を出した沖縄等や、災害で犠牲となった人々に手向けられる折り鶴は、平和のシンボルとして知られ平和への願いが込められている。広島市では、折り鶴に託された思いを昇華させるための取り組みとして、「折り鶴再生モデル事業」を進められ、有効活用として折り鶴再生紙として再生されている。本考案は、広島市が推奨する「折り鶴再生モデル事業」に活用される折り鶴再生紙を使用したバッジであって、日本各地や世界中から手向けられた折り鶴を入れる事を特徴とするバッジである。
【考案の詳細な説明】
【考案の詳細な説明】
【考案に属する技術分野】
【０００１】本考案は、請求項１に記載した広島市が推奨する「折り鶴再生モデル事業」に活用される、折り鶴再生紙と日本各地や世界中から手向けられた折り鶴を入れる事を特徴とする。
【背景技術】
【０００２】従来の缶バッジでは、印刷をした紙等を使用した平面的な形に成形された缶バッジに留まり、保護フィルムの加工等での多才の表現されていました。【０００３】
【先行技術文献】
実用新案登録第３２００９６２号（Ｕ３２００９６２）
【考案が解決しようとする課題】
【０００４】第二次世界大戦で使用された原子爆弾の犠牲となった、広島や長崎及び多くの犠牲者を出した沖縄等や、災害で犠牲となった人々に手向けられる折り鶴は平和のシンボルとして知られ、平和への願いが込められ手入る。本考案は、手向けられた折り鶴を使用し立体的に表現できる缶バッジで、広島市が、折り鶴に託された思いを昇華させるための取り組み「折り鶴再生モデル事業」の推進と、日本各地や世界中から手向けられた折り鶴を入れる事により、平和への意識を高め、日本各地や世界中へ平和への思いのアピールが出来ると考える。
【課題を解決するための手段】
【０００４】この目的を達成するために、本考案のバッジの中に第二次世界大戦で使用された原子爆弾の犠牲となった、広島や長崎及び多くの犠牲者を出した沖縄等や、災害で犠牲となった人々に手向けられる折り鶴から作られた折り鶴再生紙と、手向けられた折り鶴を入れる事により、平和への意識を高め、日本各地や世界中へ平和への思いをアピール出来る事を特徴とする。
【考案を実施するための形態】
【０００５】以下、図面を参照して、本考案の実施形態を説明する。図１は本考案の実施形態を示す斜視図で、缶バッジの構造を示す。
【０００６】図２は本考案の実施形態を示す断面図で、基体Ａに折り鶴再生紙ＯＳ、折り鶴ＯＲ、保護フィルムＨＦを重ねた状態で基体Ａに嵌め合わせ、基体Ｂと嵌め合わせた状態の缶バッジの構造を示す。
【０００７】図３は本考案の実施形態を示す断面図で、基体Ａに折り鶴再生紙ＯＳ、折り鶴ＯＲ、保護フィルムＨＦを重ねた状態で基体Ａに嵌め合わせ、基体Ｂと嵌め合わせた状態の缶バッジの構造を示す。
【０００８】図４は本考案の実施形態の缶バッジ裏面であるが、安全ピンを付しているが、マグネットなどを備える場合もある。
【考案の効果】
【０００９】本考案は、第二次世界大戦で使用された原子爆弾の犠牲となった広島や長崎及び、多くの犠牲者を出した沖縄等や、災害で犠牲となった人々に手向けられる折り鶴が平和のシンボルとし位置付けられ、知られ、平和への願いが込められ折り鶴は各地で手向けられている。広島市では折り鶴に託された思いを昇華させるための取り組みとして「折り鶴再生モデル事業」を推進し、日本各地や世界中から手向けられた折り鶴の活用を行っています。本考案は、手向けられた折り鶴を活用するための一つとして考案し、日本各地や世界中へ平和への意識を高め、平和への思いをアピールし、平和への思いを広く発信できるバッジを提供する。
【図面の簡単な説明】
【００１０】
【図１】本考案の実施形態の缶バッジ構造を示す斜視図である。
【図２】図１の実施形態の缶バッジの構造を示す断面図である。
【図３】図１の実施形態の缶バッジを嵌め合わせた構造の断面図である。
【図４】実施形態の缶バッジ裏面である。
【符号の説明】
【００１１】缶バッジ        ＫＢＺ
保護フィルム    ＨＦ
折り鶴          ＯＲ
折り鶴再生紙    ＯＳ
基体Ａ          ＫＡ
基体Ｂ          ＫＢ
【図１】
0003209125.tif 000003
【図２】
0003209125.tif 000004
【図３】
0003209125.tif 000005
【図４】
0003209125.tif 000006
【手続補正書】
【提出日】平成28年9月2日(2016.9.2)
【手続補正１】
【補正対象書類名】実用新案登録請求の範囲
【補正対象項目名】全文
【補正方法】変更
【補正の内容】
【実用新案登録請求の範囲】
【請求項１】
基体Ａ（ＫＡ）に折り鶴再生紙（ＯＳ）、折り鶴（ＯＲ）、保護フィルム（ＨＦ）を重ねた状態で基体Ａ（ＫＡ）に嵌め合わせ、基体Ｂ（ＫＢ）と嵌め合わせた構造とされた事を特徴とする折り鶴缶バッジ。
折り鶴缶バッジには、第二次世界大戦で使用された原子爆弾の犠牲となった、広島や長崎及び多くの犠牲者を出した沖縄等や、災害で犠牲となった人々に手向けられる折り鶴は、平和のシンボルとして知られ平和への願いが込められ、広島市では折り鶴に託された思いを昇華させるための取り組みとして、「折り鶴再生モデル事業」が進められ、有効活用として折り鶴再生紙として再生されている。本考案は、広島市が推奨する「折り鶴再生モデル事業」に活用される折り鶴再生紙（ＯＳ）と世界中から手向けられた折り鶴（ＯＲ）を挟み入れる事を特徴とする折り鶴缶バッジ。
【手続補正書】
【提出日】平成28年12月5日(2016.12.5)
【手続補正１】
【補正対象書類名】実用新案登録請求の範囲
【補正対象項目名】全文
【補正方法】変更
【補正の内容】
【実用新案登録請求の範囲】
【請求項１】
基体Ａ（ＫＡ）に折り鶴再生紙（ＯＳ）、折り鶴（ＯＲ）、保護フィルム（ＨＦ）を重ねた状態で基体Ａ（ＫＡ）に嵌め合わせ、基体Ｂ（ＫＢ）と嵌め合わせた構造とされた事を特徴とする折り鶴缶バッジ。
(57)【要約】      （修正有）【課題】手荷物に簡便にとりつけ、肩掛けとすることで、重い荷物や複数の荷物の負担を軽減するショルダーベルトを提供する。【解決手段】ショルダーベルトは、２つ以上のフックを備え、かつループ状であり、手荷物のもち手部分にショルダーベルトのフックを付けることで、カバンやスーパーのレジ袋、スーツケースなどのあらゆる手荷物を肩掛けとする。２つ以上のフックは、複数の手荷物対応や手荷物の位置の安定化に効果的である。ループ形状のため、フックはばらけず、荷物への取り付けが容易となる。また、ベルト部に取り付けた留具により、ショルダーベルトをコンパクトにでき、携帯性を高めている。【選択図】図１
0003209128.tif 000002
【実用新案登録請求の範囲】
【請求項１】
少なくとも２つ以上のフックを備え、かつループ形状であることを特徴とするショルダーベルト。
【請求項２】
ショルダーベルトをコンパクトにまとめるための留具を有することを特徴とする請求項１に記載のショルダーベルト。
【考案の詳細な説明】
【技術分野】
【０００１】  本考案は、様々な手荷物を肩掛けにでき、携帯性の高いショルダーベルトに関するものである。
【背景技術】
【０００２】  手荷物は、重いものであったり、数が増えたりすると大変持ちにくく、手が痛くなる、肩がこる等の負担が発生している。また、雨が降ると片手を傘に取られてしまい、全ての手荷物を片手で持たなければならない。その点において、両手が自由に使えるショルダーベルト付きの製品は便利であるが、その場合、荷物にあらかじめショルダーベルト取り付け部が必要であり、全ての手荷物を肩掛け、もしくは襷掛けにはできない。また、荷物が増えることが分かっていればあらかじめ袋を持っていく等の対策が可能であるが、不意に荷物が増えた場合の対応は困難である。
【考案の概要】
【考案が解決しようとする課題】
【０００３】  手荷物の負担を軽減するため、フック付きのショルダーベルトを手荷物のもち手部分に取り付けることで、様々な手荷物を肩掛けできるようにする。また、そのショルダーベルトを持ち運びしやすい形状にすることにより、不測の場合の対応も可能にする。
【課題を解決するための手段】
【０００４】  本考案は、ショルダーベルトが複数のフックを有し、かつショルダーベルトがループ形状であることを最も主要な特徴とする。また、ショルダーベルトをコンパクトにまとめるための留具が付属していることを特徴とする。
【考案の効果】
【０００５】  本考案のショルダーベルトは、複数のフックを持つことで、複数の手荷物を取り付けることができる。また、２つのフックをカバンのもち手につければ肩掛け時にカバンの位置を安定させることができる。ショルダーベルトがループ形状であることで、前面と背面に重さの異なる手荷物を取り付けた際にも外れてしまうことはない。また、フックの場所がばらばらにならないため、手荷物へのフックの取り付けが容易となるという利点がある。このショルダーベルトは留具により折りたためばコンパクトになり、カバンの中でもばらけずに携帯性も高いため、高い利便性ならびに多くの利用機会を有している。
【図面の簡単な説明】
【０００６】
【図１】ショルダーベルトの実施例１
【図２】ショルダーベルトの使用方法１
【図３】ショルダーベルトの使用方法２
【図４】ショルダーベルトの実施例２
【図５】ショルダーベルト留具の実施例
【考案を実施するための形態】
【０００７】
【実施例１】
【０００８】  図１は、本考案の１実施例であって、ベルトの両端にフックが付いており、フック近傍を別のベルトで接続し、ループ形状にしている。
ベルトは長さの調整が可能になっている。
【実施例２】
【０００９】  図４の実施例は、ループ形状のベルトにフック部を複数取り付けている。ベルトは長さの調整が可能になっており、肩当ても付いている。
【符号の説明】
【００１０】１  フック部
２  ベルト部
３  接合部
４  留具部
５  長さ調整部
６  肩当て部
【図１】
0003209128.tif 000003
【図２】
0003209128.tif 000004
【図３】
0003209128.tif 000005
【図４】
0003209128.tif 000006
【図５】
0003209128.tif 000007